(57)【要約】      （修正有）【課題】一体的画像ディスプレイを有するヘッドフォンを提供する。【解決手段】ユーザによって着用されるヘッドフォン２００上に画像を表示するための及び／またはユーザの状態を表示するための方法及びシステムであって、ヘッドフォンは、ヘッドフォンの外向き表面上にディスプレイスクリーン２１０を含む。ディスプレイスクリーンは、ユーザによって聞かれている音声に関連する画像を表示できる。ディスプレイスクリーンはまた、「電話中（ｏｎ  ｔｈｅ  ｐｈｏｎｅ）」または「忙しい（ｂｕｓｙ）」等のユーザの状態を表示できる。ディスプレイスクリーンはタッチスクリーンディスプレイであり、ユーザは、ディスプレイ上でタッチすること及び／またはジェスチャすることによってヘッドフォンにコマンドを入力できる。【選択図】図２
2016136722.tif 000002
【特許請求の範囲】
【請求項１】
ヘッドフォンであって、
着用者の第１のイヤに対して配置されるように構成される第１のイヤピースハウジングであって、音響信号を出力するように構成される第１のドライバを含む、第１のイヤピースハウジングと、
前記着用者の第２のイヤに対して配置されるように構成される第２のイヤピースハウジングであって、音響信号を出力するように構成される第２のドライバを含む、第２のイヤピースハウジングと、
前記第１のイヤピースハウジングの外向き表面上に配置された第１のタッチスクリーンディスプレイとを備え、前記第１のタッチスクリーンディスプレイは、前記第１のドイライバによって出力される音響信号に関連する第１の画像を表示するように構成され、前記第１のタッチスクリーンディスプレイは、前記音響信号の少なくとも１つの態様を制御する第１の触知コマンドを前記着用者から受信するように構成される、ヘッドフォン。
【請求項２】
前記第１の触知コマンドは、
前記音響信号の音量を変更するコマンド、
前記音響信号をポーズさせるコマンド、及び、
前記音響信号を再生するコマンド
のうちの少なくとも１つを含む、請求項１に記載のヘッドフォン。
【請求項３】
前記第１の触知コマンドは、前記音響信号の周波数スペクトルを調整するコマンドを含む、請求項１に記載のヘッドフォン。
【請求項４】
携帯電話と通信状態の送受信機を更に含み、
前記第１の触知コマンドは、前記音響信号をポーズさせ、到来する電話呼出しを受付け、前記到来する電話呼出しからの音声を前記第１のドライバを介して再生するコマンドを含む、
請求項１に記載のヘッドフォン。
【請求項５】
前記第２のイヤピースハウジングの外向き表面上に配置された第２のタッチスクリーンディスプレイを更に備え、前記第２のタッチスクリーンディスプレイは、前記第２のドイライバによって出力される音響信号に関連する第２の画像を表示するように構成され、前記第２のタッチスクリーンディスプレイは、前記音響信号の少なくとも１つの態様を制御する第２の触知コマンドを前記着用者から受信するように構成される、請求項１に記載のヘッドフォン。
【請求項６】
前記第１の触知コマンド及び前記第２の触知コマンドは同時に実施されて、第３の触知コマンドを提供する、請求項５に記載のヘッドフォン。
【請求項７】
前記第１の画像及び前記第２の画像は異なる、請求項５に記載のヘッドフォン。
【請求項８】
前記タッチスクリーンディスプレイは少なくとも２つのタッチ領域を含み、前記少なくとも２つのタッチ領域は、カスタマイズされた触知コマンドを受信するように構成される、請求項１に記載のヘッドフォン。
【請求項９】
前記第１の画像の少なくとも１つの態様は、前記着用者の状態を示す、請求項１に記載のヘッドフォン。
【請求項１０】
前記第１のイヤピースハウジング及び前記第２のイヤピースハウジングに接続する支持部材を更に備え、前記支持部材は、前記第１のイヤに対して前記第１のイヤピースハウジングを、また、前記第２のイヤに対して前記第２のイヤピースハウジングを支持し、前記第１のタッチスクリーンディスプレイは前記支持部材上に延在する、請求項１に記載のヘッドフォン。
【請求項１１】
ヘッドフォンであって、
着用者の第１のイヤに対して配置されるように構成される第１のイヤピースハウジングであって、音響信号を出力するように構成される第１のドライバを含む、第１のイヤピースハウジングと、
前記着用者の第２のイヤに対して配置されるように構成される第２のイヤピースハウジングであって、音響信号を出力するように構成される第２のドライバを含む、第２のイヤピースハウジングと、
前記第１のイヤピースハウジングの外向き表面上に配置された第１のディスプレイスクリーンとを備え、前記第１のディスプレイスクリーンは、前記第１のドイライバによって出力される音響信号に関連する画像を表示するように構成され、前記第１の画像の少なくとも１つの態様は、前記着用者の状態を示す、ヘッドフォン。
【請求項１２】
前記着用者の前記示される状態は、
音楽を聴くこと、
電話で話しをすること、
邪魔されたくないと思うこと、及び、
喜んで中断されること
からなる群から選択される、請求項１１に記載のヘッドフォン。
【請求項１３】
前記第１の画像の前記少なくとも１つの態様は前記画像の色を含む、請求項１１に記載のヘッドフォン。
【請求項１４】
前記第１の画像の前記少なくとも１つの態様は、前記ディスプレイスクリーン上に表示されるアイコンを含む、請求項１１に記載のヘッドフォン。
【請求項１５】
前記第１のイヤピースハウジング及び前記第２のイヤピースハウジングに接続する支持部材を更に備え、前記支持部材は、前記第１のイヤに対して前記第１のイヤピースハウジングを、また、前記第２のイヤに対して前記第２のイヤピースハウジングを支持し、前記ディスプレイスクリーンは前記支持部材上に延在する、請求項１１に記載のヘッドフォン。
【請求項１６】
着用可能システムであって、
音声信号を受信することに応答して音響信号を生成するように構成される第１の音声ドライバであって、着用者の第１のイヤに対して配置可能である、第１の音声ドライバと、
前記第１の音声ドライバに対して配置された第１のディスプレイスクリーンであって、前記音声ドライバが前記着用者の前記第１のイヤに対して配置されると、前記着用者から離れて面する、第１のディスプレイスクリーンと、
コントローラとを備え、前記コントローラは、
音声信号を前記第１の音声ドライバに出力し、
第１の画像を前記第１のディスプレイスクリーンに出力する
ように構成され、前記第１の画像の第１の態様は前記出力される音声信号に関連し、前記第１の画像の第２の態様は、システムの着用者の状態を示す、着用可能システム。
【請求項１７】
前記着用者の目に対して配置可能である第２のディスプレイスクリーンを更に備え、前記コントローラは、第２の画像を前記第２のディスプレイスクリーンに出力するように更に構成され、前記第１の画像の第３の態様は前記出力される第２の画像に関連する、請求項１６に記載の着用可能システム。
【請求項１８】
音声信号を受信することに応答して音響信号を生成するように構成される第２の音声ドライバであって、前記着用者の第２のイヤに対して配置可能である、第２の音声ドライバと、
前記第２の音声ドライバに対して配置された第２のディスプレイスクリーンであって、前記音声ドライバが前記着用者の前記第２のイヤに対して配置されると、前記着用者から離れて面する、第２のディスプレイスクリーンとを更に備え、
前記コントローラは、
音声信号を前記第２の音声ドライバに出力し、
第２の画像を前記第２のディスプレイスクリーンに出力する
ように更に構成され、前記第２の画像の第１の態様は前記出力される音声信号に関連し、前記第２の画像の第２の態様は、システムの前記着用者の状態を示す、請求項１６に記載の着用可能システム。
【請求項１９】
前記第１のディスプレイスクリーン及び前記第２のディスプレイスクリーンはタッチ感応性領域を備え、前記コントローラは、前記第１の及び第２のディスプレイスクリーンからタッチ信号を受信するように構成され、前記コントローラは、前記受信されたタッチ信号に応答して前記第１の音声ドライバ及び前記第２の音声ドライバに対する音声信号の出力を制御するように更に構成される、請求項１８に記載の着用可能システム。
【請求項２０】
前記コントローラは、
前記第１のディスプレイスクリーンからのタッチ信号に基づいて音声信号の出力の第１の制御を提供し、
前記第２のディスプレイスクリーンからのタッチ信号に基づいて音声信号の出力の第２の制御を提供し、
前記第１のディスプレイスクリーン及び前記第２のディスプレイスクリーンからの同時のタッチ信号に基づいて音声信号の出力の第３の制御を提供する
ように構成される、請求項１９に記載の着用可能システム。
【発明の詳細な説明】
【技術分野】
【０００１】
本出願は、参照によりその全体が本明細書に組込まれる、２０１５年１月２５日に出願された米国仮特許出願シリアル番号第６２／１０７，４７６号の利益を主張する。
【０００２】
本明細書に記載される本態様は、音声ヘッドフォン、より具体的には、情報を表示する音声ヘッドフォンに関する。
【発明の概要】
【課題を解決するための手段】
【０００３】
種々の態様によれば、ヘッドフォンは、着用者の第１のイヤに対して配置されるように構成される第１のイヤピースハウジングを含み、第１のイヤピースハウジングは、音響信号を出力するように構成される第１のドライバを含む。ヘッドフォンはまた、着用者の第２のイヤに対して配置されるように構成される第２のイヤピースハウジングを含み、第２のイヤピースハウジングは、音響信号を出力するように構成される第２のドライバを含む。ヘッドフォンはまた、第１のイヤピースハウジングの外向き表面上に配置された第１のタッチスクリーンディスプレイを含む。第１のタッチスクリーンディスプレイは、第１のドイライバによって出力される音響信号に関連する第１の画像を表示するように構成される。第１のタッチスクリーンディスプレイはまた、音響信号の少なくとも１つの態様を制御する第１の触知コマンドを着用者から受信するように構成される。
【０００４】
種々の態様によれば、ヘッドフォンは、着用者の第１のイヤに対して配置されるように構成される第１のイヤピースハウジングを含み、第１のイヤピースハウジングは、音響信号を出力するように構成される第１のドライバを含む。ヘッドフォンはまた、着用者の第２のイヤに対して配置されるように構成される第２のイヤピースハウジングを含み、第２のイヤピースハウジングは、音響信号を出力するように構成される第２のドライバを含む。ヘッドフォンはまた、第１のイヤピースハウジングの外向き表面上に配置された第１のディスプレイスクリーンを含み、第１のディスプレイスクリーンは第１のドイライバによって出力される音響信号に関連する画像を表示するように構成され、第１の画像の少なくとも１つの態様は着用者の状態を示す。
【０００５】
種々の態様によれば、着用可能システムは、音声信号を受信することに応答して音響信号を生成するように構成される第１の音声ドライバを含み、第１の音声ドライバは、着用者の第１のイヤに対して配置可能である。着用可能システムはまた、第１の音声ドライバに対して配置された第１のディスプレイスクリーンを含み、第１のディスプレイスクリーンは、音声ドライバが着用者の第１のイヤに対して配置されると、着用者から離れて面する。着用可能システムはまた、音声信号を第１の音声ドライバに出力するように構成されるコントローラを含む。コントローラはまた、第１の画像を第１のディスプレイスクリーンに出力するように構成され、第１の画像の第１の態様は、出力される音声信号に関連し、第１の画像の第２の態様は、システムの着用者の状態を示す。
例えば、本願発明は以下の項目を提供する。
（項目１）
ヘッドフォンであって、
着用者の第１のイヤに対して配置されるように構成される第１のイヤピースハウジングであって、音響信号を出力するように構成される第１のドライバを含む、第１のイヤピースハウジングと、
上記着用者の第２のイヤに対して配置されるように構成される第２のイヤピースハウジングであって、音響信号を出力するように構成される第２のドライバを含む、第２のイヤピースハウジングと、
上記第１のイヤピースハウジングの外向き表面上に配置された第１のタッチスクリーンディスプレイとを備え、上記第１のタッチスクリーンディスプレイは、上記第１のドイライバによって出力される音響信号に関連する第１の画像を表示するように構成され、上記第１のタッチスクリーンディスプレイは、上記音響信号の少なくとも１つの態様を制御する第１の触知コマンドを上記着用者から受信するように構成される、ヘッドフォン。
（項目２）
上記第１の触知コマンドは、
上記音響信号の音量を変更するコマンド、
上記音響信号をポーズさせるコマンド、及び、
上記音響信号を再生するコマンド
のうちの少なくとも１つを含む、上記項目に記載のヘッドフォン。
（項目３）
上記第１の触知コマンドは、上記音響信号の周波数スペクトルを調整するコマンドを含む、上記項目のうちのいずれか一項に記載のヘッドフォン。
（項目４）
携帯電話と通信状態の送受信機を更に含み、
上記第１の触知コマンドは、上記音響信号をポーズさせ、到来する電話呼出しを受付け、上記到来する電話呼出しからの音声を上記第１のドライバを介して再生するコマンドを含む、
上記項目のうちのいずれか一項に記載のヘッドフォン。
（項目５）
上記第２のイヤピースハウジングの外向き表面上に配置された第２のタッチスクリーンディスプレイを更に備え、上記第２のタッチスクリーンディスプレイは、上記第２のドイライバによって出力される音響信号に関連する第２の画像を表示するように構成され、上記第２のタッチスクリーンディスプレイは、上記音響信号の少なくとも１つの態様を制御する第２の触知コマンドを上記着用者から受信するように構成される、上記項目のうちのいずれか一項に記載のヘッドフォン。
（項目６）
上記第１の触知コマンド及び上記第２の触知コマンドは同時に実施されて、第３の触知コマンドを提供する、上記項目のうちのいずれか一項に記載のヘッドフォン。
（項目７）
上記第１の画像及び上記第２の画像は異なる、上記項目のうちのいずれか一項に記載のヘッドフォン。
（項目８）
上記タッチスクリーンディスプレイは少なくとも２つのタッチ領域を含み、上記少なくとも２つのタッチ領域は、カスタマイズされた触知コマンドを受信するように構成される、上記項目のうちのいずれか一項に記載のヘッドフォン。
（項目９）
上記第１の画像の少なくとも１つの態様は、上記着用者の状態を示す、上記項目のうちのいずれか一項に記載のヘッドフォン。
（項目１０）
上記第１のイヤピースハウジング及び上記第２のイヤピースハウジングに接続する支持部材を更に備え、上記支持部材は、上記第１のイヤに対して上記第１のイヤピースハウジングを、また、上記第２のイヤに対して上記第２のイヤピースハウジングを支持し、上記第１のタッチスクリーンディスプレイは上記支持部材上に延在する、上記項目のうちのいずれか一項に記載のヘッドフォン。
（項目１１）
ヘッドフォンであって、
着用者の第１のイヤに対して配置されるように構成される第１のイヤピースハウジングであって、音響信号を出力するように構成される第１のドライバを含む、第１のイヤピースハウジングと、
上記着用者の第２のイヤに対して配置されるように構成される第２のイヤピースハウジングであって、音響信号を出力するように構成される第２のドライバを含む、第２のイヤピースハウジングと、
上記第１のイヤピースハウジングの外向き表面上に配置された第１のディスプレイスクリーンとを備え、上記第１のディスプレイスクリーンは、上記第１のドイライバによって出力される音響信号に関連する画像を表示するように構成され、上記第１の画像の少なくとも１つの態様は、上記着用者の状態を示す、ヘッドフォン。
（項目１２）
上記着用者の上記示される状態は、
音楽を聴くこと、
電話で話しをすること、
邪魔されたくないと思うこと、及び、
喜んで中断されること
からなる群から選択される、上記項目に記載のヘッドフォン。
（項目１３）
上記第１の画像の上記少なくとも１つの態様は上記画像の色を含む、上記項目のうちのいずれか一項に記載のヘッドフォン。
（項目１４）
上記第１の画像の上記少なくとも１つの態様は、上記ディスプレイスクリーン上に表示されるアイコンを含む、上記項目のうちのいずれか一項に記載のヘッドフォン。
（項目１５）
上記第１のイヤピースハウジング及び上記第２のイヤピースハウジングに接続する支持部材を更に備え、上記支持部材は、上記第１のイヤに対して上記第１のイヤピースハウジングを、また、上記第２のイヤに対して上記第２のイヤピースハウジングを支持し、上記ディスプレイスクリーンは上記支持部材上に延在する、上記項目のうちのいずれか一項に記載のヘッドフォン。
（項目１６）
着用可能システムであって、
音声信号を受信することに応答して音響信号を生成するように構成される第１の音声ドライバであって、着用者の第１のイヤに対して配置可能である、第１の音声ドライバと、
上記第１の音声ドライバに対して配置された第１のディスプレイスクリーンであって、上記音声ドライバが上記着用者の上記第１のイヤに対して配置されると、上記着用者から離れて面する、第１のディスプレイスクリーンと、
コントローラとを備え、上記コントローラは、
音声信号を上記第１の音声ドライバに出力し、
第１の画像を上記第１のディスプレイスクリーンに出力する
ように構成され、上記第１の画像の第１の態様は上記出力される音声信号に関連し、上記第１の画像の第２の態様は、システムの着用者の状態を示す、着用可能システム。
（項目１７）
上記着用者の目に対して配置可能である第２のディスプレイスクリーンを更に備え、上記コントローラは、第２の画像を上記第２のディスプレイスクリーンに出力するように更に構成され、上記第１の画像の第３の態様は上記出力される第２の画像に関連する、上記項目に記載の着用可能システム。
（項目１８）
音声信号を受信することに応答して音響信号を生成するように構成される第２の音声ドライバであって、上記着用者の第２のイヤに対して配置可能である、第２の音声ドライバと、
上記第２の音声ドライバに対して配置された第２のディスプレイスクリーンであって、上記音声ドライバが上記着用者の上記第２のイヤに対して配置されると、上記着用者から離れて面する、第２のディスプレイスクリーンとを更に備え、
上記コントローラは、
音声信号を上記第２の音声ドライバに出力し、
第２の画像を上記第２のディスプレイスクリーンに出力する
ように更に構成され、上記第２の画像の第１の態様は上記出力される音声信号に関連し、上記第２の画像の第２の態様は、システムの上記着用者の状態を示す、上記項目のうちのいずれか一項に記載の着用可能システム。
（項目１９）
上記第１のディスプレイスクリーン及び上記第２のディスプレイスクリーンはタッチ感応性領域を備え、上記コントローラは、上記第１の及び第２のディスプレイスクリーンからタッチ信号を受信するように構成され、上記コントローラは、上記受信されたタッチ信号に応答して上記第１の音声ドライバ及び上記第２の音声ドライバに対する音声信号の出力を制御するように更に構成される、上記項目のうちのいずれか一項に記載の着用可能システム。
（項目２０）
上記コントローラは、
上記第１のディスプレイスクリーンからのタッチ信号に基づいて音声信号の出力の第１の制御を提供し、
上記第２のディスプレイスクリーンからのタッチ信号に基づいて音声信号の出力の第２の制御を提供し、
上記第１のディスプレイスクリーン及び上記第２のディスプレイスクリーンからの同時のタッチ信号に基づいて音声信号の出力の第３の制御を提供する
ように構成される、上記項目のうちのいずれか一項に記載の着用可能システム。
（摘要）
ユーザによって着用されるヘッドフォン上に画像を表示するための及び／またはユーザの状態を表示するための方法及びシステム。ヘッドフォンは、ヘッドフォンの外向き表面上にディスプレイスクリーンを含む。ディスプレイスクリーンは、ユーザによって聞かれている音声に関連する画像を表示できる。ディスプレイスクリーンはまた、「電話中（ｏｎ  ｔｈｅ  ｐｈｏｎｅ）」または「忙しい（ｂｕｓｙ）」等のユーザの状態を表示できる。ディスプレイスクリーンはタッチスクリーンディスプレイであり、ユーザは、ディスプレイ上でタッチすること及び／またはジェスチャすることによってヘッドフォンにコマンドを入力できる。
【図面の簡単な説明】
【０００６】
【図１】本明細書に記載する種々の態様による、ヘッドフォンであって、ヘッドフォン上にディスプレイスクリーンを有する、ヘッドフォンの一実施形態の斜視図である。
【図２】本明細書に記載する種々の態様による、ヘッドフォンであって、ヘッドフォン上にディスプレイスクリーンを有する、ヘッドフォンの一実施形態の斜視図である。
【図３Ａ】ヘッドフォン上で、聞かれている歌についてアルバムアートを表示する図１のディスプレイスクリーンの側面図である。
【図３Ｂ】ヘッドフォン上で、聞かれている歌についてアーティスト名及び歌のタイトルを表示する図１のディスプレイスクリーンの側面図である。
【図３Ｃ】ヘッドフォンの着用者の状態を表示する図１のディスプレイスクリーンの側面図であり、その状態は、着用者が電話で話している、である。
【図３Ｄ】ヘッドフォンの着用者の状態を表示する図１のディスプレイスクリーンの側面図であり、その状態は、忙しい、である。
【図３Ｅ】ヘッドフォンの着用者の状態を表示する図１のディスプレイスクリーンの側面図であり、その状態は、着用者が、手があいている、である。
【図３Ｆ】ヘッドフォンの着用者の状態を表示する図１のディスプレイスクリーンの側面図であり、その状態は、着用者が音楽を聞いている、である。
【図４Ａ】図１のディスプレイスクリーンの側面図であり、ディスプレイスクリーンは、タッチスクリーンディスプレイであり、ヘッドフォンを通して音声のプレイバックの制御を可能にする２つの横並びタッチ領域を有するものとして示される。
【図４Ｂ】図１のディスプレイスクリーンの側面図であり、ディスプレイスクリーンは、タッチスクリーンディスプレイであり、ヘッドフォンを通して音声のプレイバックの制御を可能にする２つの上及び下タッチ領域を有するものとして示される。
【図４Ｃ】図１のディスプレイスクリーンの側面図であり、ディスプレイスクリーンは、タッチスクリーンディスプレイであり、低周波数、中間周波数、及び高周波数等化の制御を可能にする３つの横並びタッチ領域を有するものとして示される。
【図５】タッチスクリーンディスプレイを組込むヘッドフォンを制御するためのコントローラのブロック図である。
【図６】ヘッドフォン上の第１のディスプレイスクリーン及び着用者の目に対して配置された第２のディスプレイスクリーンを有するヘッドフォンの斜視図である。
【図７】イヤピースハウジング上に取付けられた第１のディスプレイを有するヘッドフォンの斜視図であり、イヤピースハウジングは支持部材によって共に接続されない。
【発明を実施するための形態】
【０００７】
以下において、本開示で提示される態様に対して参照が行われる。しかし、本開示の範囲は、述べる特定の態様に限定されない。代わりに、以下の特徴及び要素の任意の組合せが、異なる態様に関連しても関連しなくても企図されて、企図される態様を実装し実施する。更に、本明細書で開示される態様は、考えられる他の解決策に勝るかまたは従来技術に勝る利点を達成することができるが、特定の利点が所与の態様によって達成されるか否かは、本開示の範囲を制限しない。そのため、以下の態様、特徴、及び利点は、例証に過ぎず、特許請求項（複数可）で明示的に述べられる場合を除いて、添付特許請求項の要素または制限と考えられない。同様に、「本発明（ｔｈｅ  ｉｎｖｅｎｔｉｏｎ）」に対する参照は、本明細書で開示される本発明の任意の主題の一般化として解釈されないものとし、また、特許請求項（複数可）で明示的に述べられる場合を除いて、添付特許請求項の要素または制限であると考えられないものとする。
【０００８】
ここで図１を参照すると、種々の態様によるヘッドフォン１００は、支持部材１０２によって接続された２つのイヤピースハウジング１０４を含む。支持部材１０２は、着用者の頭部に載って、イヤピースハウジング１０４の重量を支持する。種々の実施形態において、支持部材１０２は、ヘッドフォン１００が着用されていないときにイヤピースハウジング１０４が互いにタッチするかまたは非常に接近するように形作られる可能性がある。ヘッドフォンをかぶるため、着用者は、イヤピースハウジング１０４を引離し、その結果、イヤピースハウジング１０４を互いの方に付勢させる偏倚力を支持部材１０２がイヤピースハウジング１０４に加えることになる。偏倚力は、イヤピースハウジング１０４を着用者の耳に押付けて、イヤピースハウジング１０４を着用者の頭部上の所定の場所にヘッドフォン１００を
保持することができる。こうした事例において、支持部材１０２は、例えば、着用者の頭部の頂部かまたは着用者の頭部の背部に載る可能性がある。イヤピースハウジング１０４はイヤクッション１０８を含むことができる。イヤクッションは、着用者の耳の上にまたは着用者の耳を覆って嵌るサイズに作られる可能性がある。いずれの場合も、イヤピースハウジング１０４は、音響ドライバ（音響トランスジューサ）１０６によって出力される音声信号が着用者の耳の方に方向付けられるように、着用者の耳に対して配置される。図１に示すように、ヘッドフォンの種々の態様は、支持部材１０２とイヤピースハウジング１０４との間に配設されたヨーク１１２を含むことができる。イヤピースハウジング１０４は、ヨーク１１２に対して回動して、異なる着用者についてより心地よい嵌合を可能にすることができる。ヘッドフォンは、ケーブル１２０、及び、メディアプレーヤ（例えば、ｉＰｏｄ（登録商標）、スマートフォン、またはタブレット）に接続することができるヘッドフォンジャック１２２を含むことができる。ケーブル１２０はまたマイクロフォン１２６を含むことができる。ヘッドフォンが着用者のスマートフォンに接続される場合、マイクロフォンは、着用者が、電話の会話、Ｓｋｙｐｅ（登録商標）の会話、または同様なものに対して、（音響ドライバ１０６を介して）聞き、（マイクロフォン１２６を介して）話すことを可能にすることができる。ヘッドフォン１００は、ケーブル１２０を介して音響ドライバ１０６用の音声信号をメディアプレーヤから受信することができる。ヘッドフォン１００はまた、メディアプレーヤから他のタイプのデータを受信し、ケーブル１２０を介してメディアプレーヤにコマンド等のデータを送信することができる。ヘッドフォンの種々の態様は、メディアプレーヤに対する無線接続（例えば、Ｂｌｕｅｔｏｏｔｈ（登録商標）接続）のためにケーブル１２０及びヘッドフォンジャック１２２を省略する可能性がある。
【０００９】
ヘッドフォン１００は、イヤピースハウジング１０４の外向き表面上に配置されたディスプレイスクリーン１１０を含むことができる。例えば、ディスプレイスクリーン１１０は、イヤピースハウジング１０４の外向き表面上に取付けられた液晶ディスプレイ（ＬＣＤ）である可能性がある。種々の事例において、ディスプレイスクリーン１１０は、タッチスクリーンディスプレイである可能性があり、タッチスクリーンディスプレイは、着用者（または他の人）が特定の方法でディスプレイスクリーン１１０にタッチすることに基づいて入力を受信することができる。ディスプレイスクリーン１１０上で受信される入力は、ヘッドフォン１０４内のプロセッサまたは同様なものに送信され、ケーブル１２０及びヘッドフォンジャック１２２（または無線接続）を介してメディアプレーヤに送信される可能性がある。２つのイヤピースハウジング１０４のそれぞれは、その外向き表面上にディスプレイスクリーン１１０を含むことができる。代替的に、２つのイヤピースハウジング１０４のうちの一方だけがディスプレイスクリーン１１０を含む可能性がある。
【００１０】
図２は、支持部材２０２によって接続された２つのイヤピースハウジング２０４を含むヘッドフォン２００についての代替の実施形態を示す。この実施形態において、支持部材２０２及びイヤピースハウジング２０２の外向き表面は、連続表面２１６を画定する。ディスプレイスクリーン２１０は、イヤピースハウジング２０４を覆う連続表面２１６の部分２１６ａ、及び、支持部材の連続表面２１６の部分２１６ｂを共に覆う可能性がある。例えば、ディスプレイスクリーン２１０は、連続表面２１６の第１の部分２１６ａ上に配置された第１の部分２１０ａを含み、ディスプレイスクリーン２１０は、連続表面２１６の第２の部分２１６ｂ上に配置された第２の部分２１０ｂを含む。やはり、或る実施形態によれば、２つのイヤピースハウジング２０４のそれぞれは、ディスプレイスクリーン２１０を含むことができる。他の実施形態において、２つのイヤピースハウジング２０４の一方だけが、ディスプレイスクリーン２１０を含むことができる。こうした実施形態において、スクリーン２１０は、取外し可能であり、また、２つのイヤピースハウジング１０４の間で交換可能である可能性がある。いずれの場合も、ディスプレイ２１０は、１つまたは複数の方向に調整可能であるように取付けられる可能性がある。例えば、ディスプレイ２１０は、ハウジング２０４に対して１つまたは複数の方向に傾斜する可能性がある。別の実施例として、ディスプレイ２１０は、ハウジング２０４に対して摺動または転移する可能性がある。同様に、ディスプレイスクリーン２１０の第２の部分２１０ｂは、支持部材２０２に沿っていろいろな程度に延在する可能性がある。図２は、支持部材２０２に沿って部分的に延在するディスプレイスクリーン２１０の第２の部分２１０ｂを示す。種々の他の実施形態において、ディスプレイスクリーン２１０の第２の部分２１０ｂは、支持部材に沿って更に延在する。例えば、第１のイヤピースハウジング２０４用のディスプレイスクリーン２１０の第２の部分２１０ｂは、第２のイヤピースハウジング２０４用のディスプレイスクリーン２１０の第２の部分２１０ｂに当接するように支持部材２０２の中央まで延在する可能性がある。種々の他の実施形態において、ディスプレイスクリーン２１０は、第１のイヤピースハウジング２０４から支持部材２０２に沿って第２のイヤピースハウジング２０４まで連続である単一ディスプレイスクリーンである可能性がある。
【００１１】
ディスプレイスクリーン１１０及び２１０は、着用者によって聞かれる音声に関する情報及び／またはユーザの状態に関する情報を表示することができる。図３Ａ〜３Ｆは、ディスプレイスクリーン１１０及び２１０によって表示される可能性がある種々の情報を示す。図３Ａは、着用者が聞いている歌についてアルバムアート３０２を表示しているディスプレイスクリーン３００を示す。例えば、ヘッドフォンは、メディアプレーヤ（例えば、ｉＰｏｄ（登録商標）、ｉＰｈｏｎｅ（登録商標）、または同様のデバイス）に接続されることができ、メディアプレーヤは、ディスプレイスクリーン３００上で表示するため、アートワークの画像をヘッドフォンに送信できる。図３Ｂは、着用者が聞いている歌についてアーティスト名３０４及び歌のタイトル３０６を表示しているディスプレイスクリーン３００を示す。やはり、ヘッドフォンは、メディアプレーヤに接続され、メディアプレーヤは、ディスプレイスクリーン３００上で表示するため歌情報をヘッドフォンに送信することができる。種々の事例において、ディスプレイスクリーンは、音楽と共に変化する動的画像を含む可能性がある。例えば、ディスプレイスクリーン上で表示される画像は、着用者によって聞かれている歌のリズムにタイミングを合わせるリズミカルな方法でスクリーンの周りで移動することができる。着用者がステレオサウンド（第１の音声ドライバ１０６によって生成されるサウンドは第２の音声ドライバ１０８によって生成されるサウンドと異なる）を聞いている事例において、ディスプレイスクリーン上の動的画像は、生成される異なるサウンドを反映するために異なることができる。種々の事例において、ヘッドフォンは、ヘッドフォンを通して着用者によって聞かれている音声を伴うビデオを表示することができる。例えば、着用者は、自分のスマートフォン上でビデオを見ている場合がある。ビデオは、例えば、スマートフォン上に格納されたムービー、または、ＹｏｕＴｕｂｅ（登録商標）からストリーミングされる音楽ビデオである場合がある。ビデオの少なくとも一部分は、ヘッドフォンに送信され、ディスプレイスクリーン上で表示される可能性がある。種々の事例において、ヘッドフォンは、着用者のスマートフォン上で着用者によってプレイされているビデオゲームを表示することができる。プレイされているビデオゲームのビデオ画像は、外向きディスプレイ（複数可）上で表示するため、コード１２０からヘッドフォンに送信される可能性がある。
【００１２】
或るスマートフォンアプリケーションは、ユーザが、音声及び／またはビデオに関連するデータを受信しながら、音声を聞きかつ／またはビデオを見ることを可能にする。例えば、Ｐｉｔｔｓｂｕｒｇｈ  Ｐｅｎｇｕｉｎｓ（登録商標）ホッケーチームは、ｉＯＳオペレーティングシステム用のアプリケーションを有し、そのアプリケーションは、ユーザが、ゲーム中にほぼリアルタイムのスコア及びプレーヤ統計量データを受信し、一方、同様に、ゲームのプレイごとのラジオブロードキャストのストリーミング音声を受信することを可能にする。種々の事例において、スマートフォン及び／またはアプリケーションは、ヘッドフォン１００及び２００内の音声ドライバ１０６を通じてストリーミング音声を再生する可能性がある。更に、ゲームに関連するデータの少なくとも一部は、ディスプレイスクリーン１１０及び２１０上で表示するため、ヘッドフォン１００及び２００に送信される可能性がある。例えば、ディスプレイスクリーン１１０及び２１０は、着用者が聞いているゲームのスコアを表示する可能性がある。別の実施例として、着用者がスマートフォンまたは他のゲーミングデバイス上でビデオゲームをプレイしている場合、ビデオゲームに関連する音声は、ヘッドフォン１００及び２００内の音声ドライバ１０６によって再生され、ビデオゲームにおける着用者のスコアは、ディスプレイスクリーン１１０及び２１０上で表示するため、ヘッドフォン１００及び２００に送信される可能性がある。
【００１３】
ヘッドフォンはまた、外向きディスプレイスクリーン上に着用者の状態を表示する可能性がある。図３Ｃ〜３Ｆは、着用者の状態を表示しているディスプレイスクリーンを示す。例えば、図３Ｃは、「電話中である（ＯＮ  ＴＨＥ  ＰＨＯＮＥ）」と述べる状態テキスト３０８を有するディスプレイスクリーン３００を示す。ヘッドフォンがユーザのスマートフォンに接続される事例において、スマートフォンは、スマートフォンが電話呼出しのために接続されていることを示す信号をヘッドフォンに送信することができる。その信号は、ディスプレイスクリーン３００上で「電話中である（ＯＮ  ＴＨＥ  ＰＨＯＮＥ）」状態テキスト３０８を表示するようヘッドフォンに促すことができる。図３Ｄは、「忙しい（ＢＵＳＹ）」と述べる状態テキスト３１０を有するディスプレイスクリーン３００を示す。着用者が、音楽を聴いている、自分のスマートフォン上でムービーを見ている、自分のスマートフォン上でゲームをプレイしている、または同様なことをしている事例において、スマートフォンが、現在、音楽を再生しているか、ムービーを再生しているか、またはゲームアプリケーションを実行していることを示す信号をヘッドフォンに送信することができる。その信号は、ディスプレイスクリーン３００上で「忙しい（ＢＵＳＹ）」状態テキスト３１０を表示するようヘッドフォンに促すことができる。他の事例において、着用者は、ディスプレイスクリーン３００上で「忙しい（ＢＵＳＹ）」状態テキスト３１０を表示するよう（例えば、以下でより詳細に述べる、スマートフォン上のコマンドまたはディスプレイスクリーン上のタッチコマンドを通して）ヘッドフォンに促すことができる場合がある。別の実施例として、図３Ｅは、「手があいている（ＡＶＡＩＬＡＢＬＥ）」と述べる状態テキスト３１２を有するディスプレイスクリーン３００を示す。着用者が、ヘッドフォンを着用しているが、音楽を聴いていない、ムービーを見ていない、ゲームをプレイしていない、または同様なことをしていない事例において、スマートフォンまたは他のメディアプレーヤは、ヘッドフォンを使用することになるどんな活動にも現在のとこを関与していないことを示す信号を送信することができる。その信号は、ディスプレイスクリーン３００上で「手があいている（ＡＶＡＩＬＡＢＬＥ）」状態テキスト３１０を表示するようヘッドフォンに促すことができる場合がある。種々の他の事例において、着用者は、ディスプレイスクリーン３００上で「手があいている（ＡＶＡＩＬＡＢＬＥ）」状態テキスト３１２を表示するようヘッドフォンに促すことができる場合がある。図３Ｆは、「音楽を聞いている（ＬＩＳＴＥＮＩＮＧ  ＴＯ  ＭＵＳＩＣ）」と述べる状態テキスト３１４を有するディスプレイスクリーン３００を示す。着用者が音楽を聞いている事例において、接続されたメディアプレーヤは、メディアプレーヤが音楽を再生していることを示す信号をヘッドフォンに送信可能性がある。その信号は、ディスプレイスクリーン３００上で「音楽を聞いている（ＬＩＳＴＥＮＩＮＧ  ＴＯ  ＭＵＳＩＣ）」状態テキスト３１４を表示するようヘッドフォンに促す。信号は、メディアプレーヤからヘッドフォンへの音楽の音��信号である可能性がある。同様の状態ディスプレイは、ムービーを見るかまたはゲームをプレイする着用者のために含まれる可能性がある。着用者がゲームをプレイしている事例において、状態ディスプレイは、ゲームのタイトル、着用者のスコア、着用者のゲームのレベル、または同様なもの等のゲーム情報を含む可能性がある。種々の事例において、ディスプレイスクリーン１１０及び２１０は、「世界平和（ＷＯＲＬＤ  ＰＥＡＣＥ）」または「立ち去る（ＢＵＺＺ  ＯＦＦ）」等の、着用者からのメッセージを表示する可能性がある。
【００１４】
先に論じたように、種々の実施形態において、ディスプレイスクリーン１１０または２１０は、タッチスクリーンディスプレイであり、着用者（または、他の人）は、タッチスクリーンにタッチすることによってヘッドフォンに対する入力を提供する。図４Ａは、ディスプレイ上に２つのタッチ領域４０２及び４０４を含むタッチスクリーンディスプレイ４００を示す。第１のタッチ領域４０２はポーズコマンド４０６に関連し、タッチスクリーンディスプレイ４００は、第１のタッチ領域４０２内にポーズアイコン４０６を表示することができる。第２のタッチ領域４０４は、プレイコマンドに関連し、タッチスクリーンディスプレイ４００は、第２のタッチ領域４０４内にプレイアイコン４０８を表示することができる。着用者が第１の領域４０２内でディスプレイスクリーン４００にタッチする場合、ヘッドフォンは、「ポーズ（ｐａｕｓｅ）」入力を受信し、「ポーズ（ｐａｕｓｅ）」コマンドを、接続されたメディアプレーヤに（例えば、ケーブル１２０を介して）送信できる。同様に、着用者が第２の領域４０４内でディスプレイスクリーン４００にタッチする場合、ヘッドフォンは、「プレイ」入力を受信し、「プレイ」コマンドを、接続されたメディアプレーヤに送信できる。種々の実施形態において、着用者は、個人的選好に対処するようタッチ領域を構成することができる場合がある。例えば、図４Ｂは、２つのタッチ領域４１０及び４１２が、横並びではなく、互いの上部に配置されたタッチスクリーンディスプレイ４００を示す。やはり、第１のタッチ領域４１０はポーズコマンドに関連し、タッチスクリーンディスプレイ４００は、第１のタッチ領域４１０内にポーズアイコン４１４を表示することができる。第２のタッチ領域４１２はプレイコマンドに関連し、タッチスクリーンディスプレイ４００は、第２のタッチ領域４１２内にプレイアイコン４１６を表示することができる。
【００１５】
図４Ｃは、再生されるサウンドの周波数等化を調整するため、横並びに配置された３つのタッチ領域４２０、４２２、及び４２４を含むタッチスクリーンディスプレイ４００を示す。例えば、第１のタッチ領域４２０は低周波数範囲に関連し、タッチスクリーンディスプレイ４００は、第１のタッチ領域４２０内に「低（ｌｏｗ）」テキスト４２６を含むことができる。着用者が、垂直に上の方向に第１のタッチ領域４２０に沿って指を摺動させる場合、ヘッドフォンは、「増加（ｉｎｃｒｅａｓｅ）」入力を受信し、低周波サウンドの音量を上げることができる。例えば、ヘッドフォンは、メディアプレーヤから受信されるサウンドを調整する内部周波数等化器を含むことができる。別の実施例として、ヘッドフォンは、ヘッドフォンに出力されるサウンドの周波数を調整するコマンドをメディアプレーヤに送信することができる。着用者が、垂直に下の方向に第１のタッチ領域４２０に沿って指を摺動させる場合、ヘッドフォンは、「減少（ｄｅｃｒｅａｓｅ）」入力を受信し、低周波サウンドの音量を下げることができる。第２のタッチ領域４２２は中間周波数範囲に関連し、タッチスクリーンディスプレイ４００は、第２のタッチ領域４２２内に「中間（ｍｉｄｄｌｅ）」テキスト４２８を含むことができる。着用者が、垂直に上の方向に第２のタッチ領域４２２に沿って指を摺動させる場合、ヘッドフォンは、「増加（ｉｎｃｒｅａｓｅ）」入力を受信し、中間周波サウンドの音量を上げることができる。着用者が、垂直に下の方向に第２のタッチ領域４２２に沿って指を摺動させる場合、ヘッドフォンは、「減少（ｄｅｃｒｅａｓｅ）」入力を受信し、中間周波サウンドの音量を下げることができる。第３のタッチ領域４２４は高周波数範囲に関連し、タッチスクリーンディスプレイ４００は、第３のタッチ領域４２４内に「高（ｈｉｇｈ）」テキスト４３０を含むことができる。着用者が、垂直に上の方向に第３のタッチ領域４２４に沿って指を摺動させる場合、ヘッドフォンは、「増加（ｉｎｃｒｅａｓｅ）」入力を受信し、高周波サウンドの音量を上げることができる。着用者が、垂直に下の方向に第３のタッチ領域４２４に沿って指を摺動させる場合、ヘッドフォンは、「減少（ｄｅｃｒｅａｓｅ）」入力を受信し、高周波サウンドの音量を下げることができる。種々の事例において、タッチスクリーンディスプレイ４００は、着用者がディスプレイ４００上で自分の指をどこに置くかに基づいてタッチ領域を割当てる可能性がある。先の実施例を継続すると、タッチスクリーンディスプレイ４００は、着用者がディスプレイ４００上に３つの指を置いたことを検出する可能性がある。こうした事例において、タッチスクリーンディスプレイ４００は、第１のタッチ領域４２０として第１の指の下の領域を、第２のタッチ領域４２２として第２の指の下の領域を、そして、第３のタッチ領域４２４として第３の指の下の領域を割当てる可能性がある。
【００１６】
種々の事例において、着用者はタッチスクリーンをカスタマイズすることができる。例えば、着用者は、タッチスクリーンを通してどの入力が提供されるかを選択する可能性がある。着用者は、例えば、音声トラックを再生する、音声トラックを停止させる、音声トラックをポーズさせる、音声トラックを早送りする、音声トラックを巻戻す、次の音声トラックにスキップする、かつ／または、直前の音声トラックに戻ることになる入力を提供しようと決める可能性がある。着用者はまた、再生されている音声の音量を増加させる、再生されている音声の音量を減少させる、かつ／または、ヘッドフォン内の能動雑音相殺を起動／停止させることになる入力を提供しようと決める可能性がある。別の実施例として、着用者は、ヘッドフォンの仮想サウンドステージを調整する入力を提供しようと決める可能性がある。例えば、Ｈａｒｍａｎ（登録商標）によるＬｉｖｅＳｔａｇｅ（登録商標）技術は、音響トランスジューサ１０６による出力を調整して、着用者に対して異なる距離及び／または角度で配置されるスピーカのサウンドを真似ることができる。タッチスクリーンディスプレイ４００は、これらの仮想スピーカの位置決めを調整するために使用される可能性がある。例えば、着用者は、タッチスクリーンディスプレイ４００上で２本の指を共につまんで、仮想スピーカの場所を更に遠くに移動させる可能性がある、または、タッチスクリーンディスプレイ４００上で２本の指を共に広げて、仮想スピーカの場所をより近くに移動させる可能性がある。別の実施例として、着用者は、着用者の顔に向かう方向に各タッチスクリーンディスプレイ４００を横切って指をスワイプさせて、仮想スピーカの場所を着用者の前の方に移動させる可能性がある。着用者はまた、異なる入力を提供するため、タッチスクリーンのどの領域がタッチされているかを調整する可能性がある。
【００１７】
種々の実施形態において、ユーザは、他のジェスチャ、タップ、または同様なものを提供して、ヘッドフォンに対する入力を提供する可能性がある。例えば、着用者は、２本の指をタッチスクリーンディスプレイ４００に当て、タッチスクリーンディスプレイ４００上で指を時計方向に回転させて、ヘッドフォンに対する「音量を増加させる（ｉｎｃｒｅａｓｅ  ｔｈｅ  ｖｏｌｕｍｅ）」入力を提供する可能性がある。同様に、着用者は、２本の指をタッチスクリーンディスプレイ４００に当て、タッチスクリーンディスプレイ４００上で指を反時計方向に回転させて、ヘッドフォンに対する「音量を減少させる（ｄｅｃｒｅａｓｅ  ｔｈｅ  ｖｏｌｕｍｅ）」入力を提供する可能性がある。同様に、着用者は、（着用者の頭部を基準にして）タッチスクリーンディスプレイ４００の背面からタッチスクリーンディスプレイ４００の前面に向かって指をスワイプさせて、次の歌トラックをスキップする可能性がある。着用者はまた、タッチスクリーンディスプレイ４００の前面からタッチスクリーンディスプレイ４０２の背面に指をスワイプさせて、直前の歌トラックに戻るようスキップする可能性がある。２つのイアピースハウンジングのそれぞれの上にタッチスクリーンディスプレイを含む種々の実施形態において、着用者は、２つのタッチスクリーンディスプレイの第１のタッチスクリーンディスプレイだけにタッチすることによって、２つのタッチスクリーンディスプレイの第２のタッチスクリーンディスプレイだけにタッチすることによって、または、両方のタッチスクリーンディスプレイに同時にタッチすることによってヘッドフォンに対する入力を提供することができる。例えば、着用者は、第１のタッチスクリーンディスプレイをタップすることによって、音楽を再生またはポーズすることができる。着用者は、第２のタッチスクリーンディスプレイをタップすることによって、電話の呼出しを受付けるか、または、電話の呼出しを打切ることができる。ユーザは、第１のタッチスクリーンディスプレイにタッチし、図４Ｃに関して述べたように第２のタッチスクリーンディスプレイに沿って指を同時に摺動させることによって、（図４Ｃに関して上述した）周波数等化を調整することができる。上述した入力は例に過ぎない。他のタッチ、ジャスチャ、またはその組合せが、本開示内で企図される。
【００１８】
図５は、種々の態様によるヘッドフォン５００のシステムブロック図を示す。ヘッドフォン５００はコントローラ５０２を含む。コントローラ５０２はコンピュータプロセッサ５０６及びメモリ５０４を含む。コントローラ５０２は、ｉＰｏｄ（登録商標）、ｉＰｈｏｎｅ（登録商標）、または他のスマートフォン等のメディアソース５１６と通信状態にある可能性がある。コントローラ５０２は、第１の音声ドライバ５０８及び第２の音声ドライバ５１０によるプレイバックのための音声信号を受信することができる。種々の事例において、コントローラ５０２はまた、メディアプレーヤ５１６にコマンド（例えば、プレイ、ポーズ、電話呼出しの受付け、電話呼出しの打切り等）を送信することができる。コントローラ５０２は、第１の音声ドライバ５０８及び第２の音声ドライバ５１０と通信状態にあって、着用者に対してプレイバックするため、メディアソース５１６から音声信号を送信する。コントローラ５０２はまた、第１のタッチスクリーンディスプレイ５１２及び第２のタッチスクリーンディスプレイ５１４と通信状態にある。コントローラ５０２は、表示用の画像をタッチスクリーンディスプレイ５１２及び５１４に送信することができる。コントローラ５０２はまた、タッチスクリーンディスプレイ５１２及び５１４から入力を受信することができる。上述したように、入力は、タッチスクリーンディスプレイ５１２及び５１４の一方または両方に着用者がタッチすることによって生成されることができる。メモリ５０４は、例えば、プロセッサ５０６によって実行される実行可能プログラムコード、タッチスクリーンディスプレイ５１２及び５１４上で表示するための画像、並びにタッチ領域に関連するユーザ選好を格納することができる。
【００１９】
図６は、着用者の視野内に配置されたディスプレイスクリーン６１６を含むヘッドフォン６００の一実施形態を示す。こうしたディスプレイスクリーン６１６の実施例は、Ｇｏｏｇｌｅ（登録商標）Ｇｌａｓｓ（登録商標）及び同様なものを含む。ディスプレイスクリーン６１６は、ブーム６１４によってヘッドフォン６００に取付けることができる。こうした実施形態において、ヘッドフォン６００のディスプレイスクリーン１１０は、ディスプレイスクリーン６１６上で着用者によって観察されている情報に関連する画像を表示する可能性がある。例えば、着用者がディスプレイスクリーン６１６上でビデオを見ている場合、イヤピースハウジング１０４上のディスプレイスクリーン１１０は、ビデオのタイトル、ビデオのスチルショット、または同様なものを表示する可能性がある。ディスプレイスクリーン１１０は、ディスプレイスクリーン６１６上で着用者によって見られているビデオの複写コピーを表示する可能性がある。種々の事例において、Ｇｏｏｇｌｅ（登録商標）Ｇｌａｓｓ（登録商標）等のディスプレイスクリーン６１６は、着用者がそれを使用して、自分の周囲物の写真またはビデオを記録することができる外向きカメラ６１８を組込む。着用者がカメラ６１８を使用している事例において、イヤピースハウジング１０４上のディスプレイスクリーン１１０は、カメラ６１８によって取込まれる写真またはビデオの１つまたは複数の画像を表示する可能性がある。
【００２０】
種々の事例において、ヘッドフォンは、２つのイヤピースハウジングを接続する支持部材がない状態で提供される可能性がある。図７は、２つのイヤピースハウジング１０４を接続する支持部材を含まないヘッドフォン７００を示す。各イヤピースハウジング１０４は、イヤピースハウジング１０４に取付けられた松果体支持部材７０６を含む。松果体支持部材７０６は、ブラケット７０４によってイヤピースハウジング１０４に取付けることができる。ブラケット７０４は、松果体支持部材７０６が、イヤピースハウジング１０４に対して移動することを可能にすることができる。松果体支持部材７０６は、着用者の耳介を覆って及び／又は耳介の背後に位置決めされて、イヤピースハウジング１０４の重量を支持し、着用者の耳に対して音響ドライバ１０６を位置決めすることができる。
【００２１】
種々の態様の説明が例証のために提示されたが、網羅的であるかまたは開示される実施形態に限定されることを意図されない。多くの変更及び変形が、述べる実施形態の範囲及び精神から逸脱することなく当業者に明らかになるであろう。本明細書で使用される用語は、実施形態の原理、実用的なアプリケーション、または市場で見出される技術に勝る技術的改良を最もよく説明するか、または、当業者が本明細書で開示される実施形態を理解することを可能にするために選択された。
【００２２】
本明細書で述べる態様は、もっぱらハードウェアの実施形態、もっぱらソフトウェアの実施形態（ファームウェア、常駐ソフトウェア、マクロコード等を含む）、または、ソフトウェアの態様とハードウェアの態様を組合せる実施形態の形態をとることができ、それらは全て、一般に、本明細書で「回路（ｃｉｒｃｕｉｔ）」、「モジュール（ｍｏｄｕｌｅ）」、または「システム（ｓｙｓｔｅｍ）」と呼ぶことができる。
【００２３】
種々の態様は、システム、方法、及び／または、コンピュータプログラム製品である場合がある。コンピュータプログラム製品は、１つの（又は複数の）コンピュータ可読記憶媒体を含むことができ、１つの（又は複数の）コンピュータ可読記憶媒体は、本明細書で述べる態様をプロセッサに実施させるためのコンピュータ可読プログラム命令を１つの（又は複数の）コンピュータ可読記憶媒体上に有する。
【００２４】
コンピュータ可読記憶媒体は、命令実行デバイスが使用するための命令を保持し記憶することができるデバイスである可能性がある。コンピュータ可読記憶媒体は、例えば、電子記憶デバイス、磁気記憶デバイス、光記憶デバイス、電磁記憶デバイス、半導体記憶デバイス、または前記のものの任意の適した組合せであるとすることができるが、それに限定されない。コンピュータ可読記憶媒体のより多くの特定の実施例の非網羅的なリストは、以下のものを含む。以下のものとは、可搬型コンピュータディスケット、ハードディスク、ランダムアクセスメモリ（ＲＡＭ）、リードオンリーメモリ（ＲＯＭ）、イレーザブルプログラマブルリードオンリーメモリ（ＥＰＲＯＭまたはフラッシュメモリ）、スタティックランダムアクセスメモリ（ＳＲＡＭ）、可搬型コンパクトディスクリードオンリーメモリ（ＣＤ−ＲＯＭ）、デジタル多用途ディスク（ＤＶＤ）、メモリスティック、フロッピー（登録商標）ディスク、パンチカードまたは溝内の隆起構造であって、隆起構造上に命令が記録されている、溝内の隆起構造等の機械的符合化デバイス、及び、前記のものの任意の適した組合せである。コンピュータ可読記憶媒体は、本明細書で使用されるとき、それ自体一過性の信号、例えば、無線波または他の自由に伝搬する電磁波、導波路または他の伝送媒体を通って伝搬する電磁波（例えば、光ファイバケーブルを通過する光パルス）、またはワイヤを通って伝送される電気信号であると解釈されない。
【００２５】
本明細書で述べるコンピュータ可読プログラム命令は、コンピュータ可読記憶媒体からそれぞれのコンピューティング／処理デバイスに、または、ネットワーク、例えばインターネット、ローカルエリアネットワーク、ワイドエリアネットワーク、及び／または無線ネットワークを介して外部コンピュータまたは外部記憶デバイスにダウンロードされる可能性がある。ネットワークは、銅伝送ケーブル、光伝送ファイバ、無線伝送、ルータ、ファイアウォール、スイッチ、ゲートウェイコンピュータ、及び／またはエッジサーバを備えることができる。各コンピューティング／処理デバイス内のネットワークアダプタカードまたはネットワークインタフェースは、ネットワークからコンピュータ可読プログラム命令を受信し、それぞれのコンピューティング／処理デバイス内のコンピュータ可読記憶媒体に記憶するためにコンピュータ可読プログラム命令を転送する。
【００２６】
本明細書で述べる態様のオペレーションを実施するためのコンピュータ可読プログラム命令は、アセンブラ命令、命令セットアーキテクチャ（ＩＳＡ）命令、機械命令、機械依存命令、マイクロコード、ファームウェア命令、状態設定データ、或は、Ｓｍａｌｌｔａｌｋ、Ｃ＋＋、または同様なもの等のオブジェクト指向プログラミング言語及び「Ｃ」プログラミング言語または同様なプログラミング言語等の従来の手続き型プログラミング言語を含む１つまたは複数のプログラミング言語の組合せで書かれたソースコードまたはオブジェクトコードである場合がある。コンピュータ可読プログラム命令は、もっぱらユーザのコンピュータ上で、部分的にユーザのコンピュータ上で、スタンドアロンソフトウェアパッケージとして、部分的にユーザのコンピュータ上でかつ部分的にリモートコンピュータ上で、または、もっぱらリモートのコンピュータまたはサーバ上で実行される場合がある。後者のシナリオにおいて、リモートコンピュータは、ローカルエリアネットワーク（ＬＡＮ）またはワイドエリアネットワーク（ＷＡＮ）を含む任意のタイプのネットワークを通してユーザのコンピュータに接続される場合がある、または、外部コンピュータに対して（例えば、インターネットサービスプロバイダを使用するインターネットを通して）接続を行うことができる。幾つかの実施形態において、例えば、プログラマブルロジック回路要素、フィールドプログラマブルゲートアレイ（ＦＰＧＡ）、またはプログラマブルロジックアレイ（ＰＬＡ）を含む電子回路要素は、電子回路要素を個人化するためコンピュータ可読プログラム命令の状態情報を利用することによってコンピュータ可読プログラム命令を実行して、本明細書で述べる態様を実施することができる。
【００２７】
態様は、方法、装置（システム）、及びコンピュータプログラム製品のフローチャート図及び／またはブロック線図を参照して本明細書で述べられる。フローチャート図及び／またはブロック線図の各ブロック、並びに、フローチャート図及び／またはブロック線図内のブロックの組合せがコンピュータ可読プログラム命令によって実装される可能性があることが理解されるであろう。
【００２８】
これらのコンピュータ可読プログラム命令は、汎用コンピュータ、専用コンピュータ、または他のプログラマブルデータ処理装置のプロセッサに提供されて、コンピュータまたは他のプログラマブルデータ処理装置のプロセッサによって実行される命令が、フローチャート及び／またはブロック線図の１つまたは複数のブロックで指定される機能／行為を実装するための手段を生成するような機械を生成することができる。特定の方法で機能するようコンピュータ、プログラマブルデータ処理装置、及び／または他のデバイスに指示できるこれらのコンピュータ可読プログラム命令はまた、コンピュータ可読記憶媒体に記憶されることができ、それにより、命令が内部に記憶されているコンピュータ可読記憶媒体は、フローチャート及び／またはブロック線図の１つまたは複数のブロックで指定される機能／行為の態様を実装する命令を含む製造品を構成する。
【００２９】
コンピュータ可読プログラム命令はまた、コンピュータ、他のプログラマブルデータ処理装置、または他のデバイス上にロードされて、一連のオペレーションのステップをコンピュータ上で実施させ、他のプログラマブル装置または他のデバイスにコンピュータ実装式プロセスを生成させ、それにより、コンピュータ、他のプログラマブル装置、または他のデバイス上で実行される命令は、フローチャート及び／またはブロック線図の１つまたは複数のブロックで指定される機能／行為を実装する。
【００３０】
図のフローチャート及びブロック線図は、種々の態様による、システム、方法、及びコンピュータプログラム製品の考えられる実装形態のアーキテクチャ、機能、及び動作を示す。この点に関して、フローチャートまたはブロック線図の各ブロックは、指定されたロジック機能（複数可）を実装するための１つまたは複数の実行可能命令を含む、モジュール、セグメント、または命令の一部分を示すことができる。代替の幾つかの実装形態において、ブロックにおいて述べる機能は、図において述べる順序から外れて起こる場合がある。例えば、関係する機能に応じて、連続して示される２つのブロックは、実際には、実質的に同時に実行される場合がある、または、時として、ブロックが逆順で実行される場合がある。ブロック線図及び／またはフローチャート図の各ブロック並びにブロック線図及び／またはフローチャート図内のブロックの組合せが、専用ハードウェアベースシステムであって、指定された機能または行為を実施するかまたは専用ハードウェア命令及び専用コンピュータ命令の組合せを実施する、専用ハードウェアベースシステムによって実装される可能性があることも留意されるであろう。
【００３１】
上記は種々の実施形態を対象とするが、他のまた更なる実施形態を、その基本的な範囲から逸脱することなく考案することができ、その範囲は添付特許請求の範囲によって決定される。
【図１】
2016136722.tif 000003
【図２】
2016136722.tif 000004
【図３Ａ】
2016136722.tif 000005
【図３Ｂ】
2016136722.tif 000006
【図３Ｃ】
2016136722.tif 000007
【図３Ｄ】
2016136722.tif 000008
【図３Ｅ】
2016136722.tif 000009
【図３Ｆ】
2016136722.tif 000010
【図４Ａ】
2016136722.tif 000011
【図４Ｂ】
2016136722.tif 000012
【図４Ｃ】
2016136722.tif 000013
【図５】
2016136722.tif 000014
【図６】
2016136722.tif 000015
【図７】
2016136722.tif 000016